(57)【要約】【課題】  ブロック上面における排水能力に優れるとともに、道路景観を向上させ、且つ、安全性を考慮した側溝用ブロック及びその施工方法を提供する。【解決手段】  内部に長手方向に沿う排水路４を有するブロック本体２の長手方向と直交して幅方向に向けた傾斜面をなす上面３の低部側端部３ａとブロック本体２の側壁５との連設隅部に、長手方向に沿う切欠部６を断続又は連続して設け、該切欠部６の全体又は一部に連続する孔状の開口部７を排水路４側に向けて斜降状をなして排水路４と連通する。又、側溝用ブロック１を歩道と車道の境界部に埋設し、側壁５上部と上記境界部の境界ブロック１０下端部間でその隙間を少なくとも切欠部６を除いて閉塞することで、切欠部６又は切欠部６の境界ブロック１０側の空隙１２を含む切欠部６をブロック本体２の上面３に開口する孔状となす。【選択図】  図１
2007092503.tif 000002
【特許請求の範囲】
【請求項１】
内部に長手方向に沿う排水路（４）を有するブロック本体（２）の長手方向と直交して幅方向に向けた傾斜面をなす上面（３）の低部側端部（３ａ）とブロック本体（２）の側壁（５）との連設隅部に、長手方向に沿う切欠部（６）が断続又は連続して設けられ、該切欠部（６）の全体又は一部に連続する孔状の開口部（７）が排水路（４）側に向けて斜降状をなして排水路（４）と連通されてなる側溝用ブロック。
【請求項２】
開口部（７）が排水路（４）の底部から少なくとも所定高さ（ｈ）以上の位置で排水路（４）と連通されてなる請求項１記載の側溝用ブロック。
【請求項３】
切欠部（６）の底部が、該切欠部（６）の一部に連続する開口部（７）に向かって下降する傾斜面（６ａ）となされた請求項１又は２記載の側溝用ブロック。
【請求項４】
側壁（５）に開口する切欠部（６）が、側壁（５）に添着された板状体（８）によって閉塞されてなる請求項１乃至３の何れかに記載の側溝用ブロック。
【請求項５】
側壁（５）及び上面（３）に開口する切欠部（６）が、側壁（５）及び上面（３）に添着された略逆Ｌ状でその上片に集水孔（９ａ）を設けた曲折板体（９）によって閉塞されてなる請求項１乃至４の何れかに記載の側溝用ブロック。
【請求項６】
ブロック本体（２）の上面（３）に切欠部（６）と略並列状に長手方向に沿う流入孔（１３）が少なくとも１個設けられ、該流入孔（１３）が開口部（７）に連通されてなる請求項１乃至５の何れかに記載の側溝用ブロック。
【請求項７】
内部に長手方向に沿う排水路（４）を有するブロック本体（２）の長手方向と直交して幅方向に向けた傾斜面をなす上面（３）の低部側端部（３ａ）とブロック本体（２）の側壁（５）との連設隅部に、長手方向に沿う切欠部（６）が断続又は連続して設けられ、該切欠部（６）の全体又は一部に連続する孔状の開口部（７）が排水路（４）側に向けて斜降状をなして排水路（４）と連通されてなる側溝用ブロック（１）を歩道又は分離帯と車道の境界部に埋設し、その側壁（５）上部を上記境界部に設けた境界ブロック（１０）下端部に隣接させ、側壁（５）上部と境界ブロック（１０）下端部間でその隙間を少なくとも切欠部（６）を除いて閉塞することで、切欠部（６）又は切欠部（６）の境界ブロック（１０）側の空隙（１２）を含む切欠部（６）をブロック本体（２）の上面（３）に開口する孔状となすことを特徴とする側溝用ブロックの施工方法。
【発明の詳細な説明】
【技術分野】
【０００１】  本発明は、路上の雨水等、表面水を排水するために道路の路側や中央分離帯、歩車道の境界等に沿って道路に埋設される側溝用ブロック及びその施工方法に関するものである。
【背景技術】
【０００２】  従来、この種の側溝用ブロックは、例えば内部に長手方向に沿う排水路を有するブロック本体の上面に、排水路の頂部に連通するスリット状の開口部が長手方向と直交する幅方向の略中央部に長手方向にわたって設けられ、且つ上記上面が幅方向の両端部から開口部に向かう下り勾配の傾斜面となされ、上記上面の開口部がそのまま開放されていたり、或いは開口部にグレーチングや有孔板等の通水用蓋が嵌め込まれ、路上の表面水がブロック本体上面に沿って開口部に導かれ、該開口部を介して内部の排水路に排水されるようになされている。
【特許文献１】  特開２０００−３５５９６９号公報
【特許文献２】  特開２００２−３３９４４４号公報
【発明の開示】
【発明が解決しようとする課題】
【０００３】  しかしながら、かかる従来の側溝用ブロックは、スリット状の開口部がブロック本体上面の幅方向略中央部に設けられているため、横断勾配が付される道路幅員方向の端部に埋設施工されると、前記開口部から幅方向外側の傾斜面の勾配が上記道路横断勾配と逆勾配になってしまい、一連方向の排水勾配によって表面水を効率よく処理するという構造要件からすると、余り好ましいものではなかった。
又、道路幅員がブロック本体の全幅を含んで広くなされても、ブロック本体の幅員方向端部との間に上記傾斜面を介して手前に表出する前記開口部が目立ち、路面が区分されてすっきりと広く見えず、昨今の都市景観が重要視される中、道路景観面からも未だ不十分な問題点があった。【０００４】  又、開口部がブロック本体上面の幅方向略中央部に設けられていることから、上面開口部に蓋がある場合には、蓋が走行車両のタイヤによって踏まれやすく、その結果蓋ががたついて騒音を発したり、又、開口部から浮き上がったり、外れたり、損傷したり、或いはこれらに起因する事故が発生する危険性があるとともに、これらの防止対策を十分施しておく必要があり面倒であった。又、歩車道境界部で縁石を隣接させて側帯を構成するべく埋設施工された場合には、例えば歩行者が縁石を乗り越えて側帯（車道側）に足を踏み入れた際等、丁度着地位置付近に開口部が位置することとなって、開口部や蓋を踏んで靴の踵が引掛かったり、蓋上で滑ったり、或いは開口部や蓋につまずいたりする恐れがあり、安全性の面でも不十分な問題点があった。
本発明はかかる従来の問題点に鑑みてなされたものであって、ブロック上面における排水能力に優れるとともに、道路景観を向上させ、且つ、安全性を考慮した側溝用ブロック及びその施工方法を提供することを課題としている。
【課題を解決するための手段】
【０００５】  上記課題を解決するため、本発明の側溝用ブロックは、内部に長手方向に沿う排水路４を有するブロック本体２の長手方向と直交して幅方向に向けた傾斜面をなす上面３の低部側端部３ａとブロック本体２の側壁５との連設隅部に、長手方向に沿う切欠部６が断続又は連続して設けられ、該切欠部６の全体又は一部に連続する孔状の開口部７が排水路４側に向けて斜降状をなして排水路４と連通されてなるものである。
ここで、上記切欠部６とは、ブロック本体２の上面３の低部側端部３ａと側壁５上端部とが連設された隅部を切欠き除去して形成されるもので、上記隅部においてその切欠き前の状態から切欠き除去した部分に相当する空間部（空間部に臨む切欠面を含む）をいう（以下、同旨）。【０００６】  又、本発明の側溝用ブロックは、上記側溝用ブロックにおいて、開口部７が排水路４の底部から少なくとも所定高さｈ以上の位置で排水路４と連通されてなる構成を採用することができる。【０００７】  又、本発明の側溝用ブロックは、上記各側溝用ブロックにおいて、切欠部６の底部が、該切欠部６の一部に連続する開口部７に向かって下降する傾斜面６ａとなされた構成を採用することができる。【０００８】  又、本発明の側溝用ブロックは、上記各側溝用ブロックにおいて、側壁５に開口する切欠部６が、側壁５に添着された板状体８によって閉塞されてなる構成を採用することができる。【０００９】  又、本発明の側溝用ブロックは、上記各側溝用ブロックにおいて、側壁５及び上面３に開口する切欠部６が、側壁５及び上面３に添着された略逆Ｌ状でその上片に集水孔９ａを設けた曲折板体９によって閉塞されてなる構成を採用することができる。【００１０】  又、本発明の側溝用ブロックは、上記各側溝用ブロックにおいて、ブロック本体２の上面３に切欠部６と略並列状に長手方向に沿う流入孔１３が少なくとも１個設けられ、該流入孔１３が開口部７に連通されてなる構成を採用することができる。【００１１】  又、本発明の側溝用ブロックの施工方法は、内部に長手方向に沿う排水路４を有するブロック本体２の長手方向と直交して幅方向に向けた傾斜面をなす上面３の低部側端部３ａとブロック本体２の側壁５との連設隅部に、長手方向に沿う切欠部６が断続又は連続して設けられ、該切欠部６の全体又は一部に連続する孔状の開口部７が排水路４側に向けて斜降状をなして排水路４と連通されてなる側溝用ブロック１を歩道又は分離帯と車道の境界部に埋設し、その側壁５上部を上記境界部に設けた境界ブロック１０下端部に隣接させ、側壁５上部と境界ブロック１０下端部間でその隙間を少なくとも切欠部６を除いて閉塞することで、切欠部６又は切欠部６の境界ブロック１０側の空隙１２を含む切欠部６をブロック本体２の上面３に開口する孔状となすことを特徴とするものである。
【発明の効果】
【００１２】  本発明の側溝用ブロックは、ブロック本体の幅方向に傾斜面をなす上面の低部側端部とブロック本体の側壁との連設隅部に、長手方向に沿う切欠部が設けられているため、横断勾配が付されてなる道路幅員方向の端部に埋設施工された際、ブロック本体の上面低部側端部が、上記道路横断勾配と一連方向の勾配を有する前記傾斜面に連なって道路幅員方向の最端部に位置され、これに伴い切欠部が道路幅員の最端部、即ち、道路面とブロック本体の上面が一連方向の勾配をもって連設されることで表面水が流下集積する下り斜面の終点に位置されて排水効率がよいとともに、切欠部が目立たず、道路幅がすっきり広く見え、道路景観を向上させることができ、排水性及び都市景観を重視する場所等に好適に使用できる。【００１３】  又、上面の切欠部が道路幅員方向の最端部に位置されることから、切欠部が走行車両のタイヤに踏まれず、破損、損傷等することがなく、又、切欠部に蓋が嵌め込まれても、蓋が走行車両のタイヤに踏まれるようなことがなく、従来のような蓋のがたつき、浮き上がり、外れ、損傷、或いはこれらに起因する事故発生の危険性等がなく、更に、歩車道境界部で縁石を隣接させて側帯を構成するべく埋設施工された場合にも、切欠部が道路幅員方向の最端部で縁石のすぐ傍に位置されるため、歩行者が縁石を乗り越えて側帯（車道側）に足を踏み入れた際等、切欠部や蓋を跨ぎ切ってこれらを踏まず、従来のように靴が引掛かったり、滑ったり、或いはつまずく恐れがなく、人及び車両に対する安全性を向上させることができる。
又、上面の切欠部の全体又は一部に連続する孔状の開口部が排水路側に向けて斜降状をなして排水路と連通されているため、ブロック本体の上面に沿ってその低部側端部に片寄って流下集積せる表面水を、切欠部内を経由させ排水路に向けて速やかに導くことができ、更に、切欠部がブロック本体の上面の低部側端部と側壁との連設隅部に設けられていることから、上記表面水が上面から切欠部内へ落下、流入する際、表面水が切欠部とほぼ直交することでその際に生じる抵抗並びに損失を少なくして表面水を切欠部内に速やかに流下、流入させることができ、排水効率を高めることができる。【００１４】  又、本発明の側溝用ブロックは、開口部が排水路の底部から少なくとも所定高さ以上の位置で排水路と連通されているため、排水路内における許容水深を上記所定高さ以下に設定可能となし、排水路内の流水を排水路に開口する開口部の斜降側末端と接触させずに、流下損失、抵抗が伴うことなく排出でき、排水路内での排水性を損なうようなことがない。
更に、排水路内の流水が開口部を逆流して上面側に噴出することを未然に防止できる。【００１５】  又、本発明の側溝用ブロックは、切欠部の底部が、該切欠部の一部に連続する開口部に向かって下降する傾斜面となされているため、切欠部に流入した表面水を傾斜面に沿って速やかに開口部内に導水でき、又、切欠部によってブロック本体上面や側壁での長手方向に沿う開口長さを長く、又、開口面積を広くして表面水の集水及び排水効率を高め、且つ、切欠部の一部に開口部が連通されることで、ブロック本体の長手方向に沿う切欠部の開口長さよりも開口部の長さが短くなり、ブロック本体の長手方向において排水路と連通する開口部の占有割合を少なくして、開口部を設けることによる断面欠損、強度損失を極力抑え、上載荷重が加わっても上面を構成する頂板やブロック本体の亀裂、破損等の発生防止を図ることができる。【００１６】  又、本発明の側溝用ブロックは、側壁に開口する切欠部が、側壁に添着された板状体によって閉塞されたり、或いは側壁及び上面に開口する切欠部が、側壁及び上面に添着された略逆Ｌ状でその上片に集水孔を設けた曲折板体によって閉塞されているため、切欠部をブロック本体上面に開口した孔状となし、施工に際して板状体や曲折板体によって切欠部を保護でき、切欠部内に目地材、ゴミ等が浸入して切欠部が詰まるようなことがなく、施工の作業性の向上を図ることができる。【００１７】  又、本発明の側溝用ブロックは、ブロック本体の上面に切欠部と略並列状に長手方向に沿う流入孔が少なくとも１個設けられ、該流入孔が開口部に連通されているため、上記した切欠部、開口部による排水効果に加え、更に流入孔によってブロック本体上面の表面水を多量、且つ速やかに開口部内へ落下、流入させることができ、排水効率をより一層向上させることができる。【００１８】  又、本発明の側溝用ブロックの施工方法は、内部に長手方向に沿う排水路を有するブロック本体の長手方向と直交して幅方向に向けた傾斜面をなす上面の低部側端部とブロック本体の側壁との連設隅部に、長手方向に沿う切欠部が断続又は連続して設けられ、該切欠部の全体又は一部に連続する孔状の開口部が排水路側に向けて斜降状をなして排水路と連通されてなる側溝用ブロックを歩道又は分離帯と車道の境界部に埋設し、その側壁上部を上記境界部に設けた境界ブロック下端部に隣接させ、側壁上部と境界ブロック下端部間でその隙間を少なくとも切欠部を除いて閉塞することで、切欠部又は切欠部の境界ブロック側の空隙を含む切欠部をブロック本体の上面に開口する孔状となすために、側溝用ブロックの切欠部を道路幅員方向の最端部に容易に位置させて施工することができる。
即ち、道路面とブロック本体の上面を一連方向の勾配をもって連設することで表面水が流下集積する下り斜面の終点に上記切欠部を、前記終点の仕上げに目地材を用いている従前とほぼ同一工法をもって迅速、且つ容易に位置させることができ、排水効率のよい街渠を速やかに形成できるとともに、切欠部が目立たず、道路幅がすっきり広く見え、道路景観を向上させることができる。
【発明を実施するための最良の形態】
【００１９】  以下、図面を参照しながら本発明の実施の形態について説明する。
図１は本発明の側溝用ブロックの一実施の形態を示し、１は本実施形態の側溝用ブロックであって、横長状でコンクリート製等のブロック本体２の内部に長手方向にわたって断面円形状の排水路４が貫設され、ブロック本体２の上面３が長手方向と直交する幅方向に向けた傾斜面となされ、該傾斜面をなす上面３の低部側端部３ａとブロック本体２の側壁５との連設隅部に、長手方向に沿う切欠部６が断続して２箇所に設けられ、図１（ニ）及び図２（イ）に示すように、該切欠部６の一部（長手方向の略中央部）に連続する孔状の開口部７が排水路４側に向けて斜降状をなして排水路４の底部から所定高さｈ以上の位置、例えば本実施形態の場合には底部から頂部までの全体の約８割の高さ以上の位置で排水路４と連通されてなる。【００２０】  上記傾斜面をなす上面３は、図１（ニ）に示すように、幅一方向にわたり（高部側端部３ｂから低部側端部３ａまで）下り勾配の傾斜面となされ、切欠部６が上面３の最低部に位置され、上面３の幅方向に沿って路面の雨水等、表面水を切欠部６に導くべくなされている。
又、切欠部６は、図２（イ）乃至（ニ）に示すように、ブロック本体２の上面３側で細長く開口するとともに側壁５側でも開口するべく上記隅部が切欠かれて形成され、開口部７は切欠部６の長手方向に沿う断面扁平な孔状となされて切欠部６に連通されている。
又、図２（イ）及び（ロ）に示すように、切欠部６はその長手方向両端部の底部が、切欠部６の長手方向略中央部に連続する開口部７に向かって下降する傾斜面６ａとなされ、切欠部６の長手方向両端部内に流入した表面水を速やかに開口部７に導水可能となされている。【００２１】  即ち、切欠部６の一部（長手方向の略中央部）に本来の排水用開口部をなす孔状の開口部７が連通されることにより、ブロック本体２の上面３での開口長さを長く、又、開口面積を広くして表面水の集水及び排水効率を高め、又、ブロック本体の長手方向に沿う切欠部６の開口長さよりも開口部７の長さが短くなって、ブロック本体２の長手方向において排水路４と連通し、上面３を分割してその幅方向での頂板を片持梁状となす開口部７の占有割合を極力抑え、ブロック本体２、特に、上面３を構成する頂板の十分な強度維持が図られている。
又、切欠部６はブロック本体２の側壁５に開口したままでもよいが、切欠部６の周辺部の側壁５が板状体８を取付けるべく凹まされ、図１（ホ）に示すように、側壁５に開口する切欠部６が、側壁５に添着された板状体８によって閉塞されていてもよく、この場合には施工が容易となって好ましい。
尚、上記開口部７は切欠部６の長手方向の中央部以外に長手方向端部等、切欠部６の長手方向の一部に連続されてもよい。
尚又、ブロック本体２は、施工時に排水路４を連通すべくその長手方向の端面同士が止水パッキン等を介して当接され、ボルト、ナット等により連結可能となされている。【００２２】  次に、本実施形態の側溝用ブロック１の施工について説明すると、図３に示すように、道路幅員方向の端部、即ち、歩道と車道の境界部にあって、図１（ニ）示すブロック本体２の傾斜面をなす上面３の高部側端部３ｂを車道側に、又、低部側端部３ａを歩道側で境界ブロック１０（縁石）の下端部に隣接して埋設する。その際、側壁５に開口する切欠部６を側壁５に添着した板状体８によって閉塞し（図１（ホ）に示す如く予め板状体８によって閉塞しておいてもよい）、次いで側壁５上部と境界ブロック１０下端部間にモルタル等の目地材１１を充填して隙間を閉塞することにより、切欠部６を上面３に開口する孔状となす。
その結果上面３に開口する切欠部６が車道幅員方向の側帯最端部で境界ブロック１０のすぐ傍に位置される。【００２３】  かかる側溝用ブロック１によれば、上面３に開口する切欠部６が車道幅員方向の側帯最端部で境界ブロック１０のすぐ傍に位置されて目立たないとともに、道路の雨水等、表面水が、道路面に付される横断勾配と一連方向の勾配を有して道路面と連なってなるブロック本体２の上面３の幅方向に向けた傾斜面に沿ってその低部側に導かれて流下集水され、上面３の低部側端部３ａに開口する切欠部６、開口部７を介して排水路４内に排水される。
この時、切欠部６の長手方向両端部内に流入した表面水がその底部傾斜面６ａに沿って速やかに開口部７内に導かれて排水効率がよく、通常、上面３は道路縦断勾配に沿いその長手方向に傾斜して施工されるので切欠部６の長手方向両端部（導水溝をなす）の導水効果が顕著となる。
又、切欠部６に連続する開口部７が排水路４側に向けて斜降状をなして排水路４と連通されているため、傾斜面をなす上面３に沿ってその低部側端部３ａ方向に片寄って流下集積せる表面水を切欠部６から取り込んで排水路４に向けて速やかに排水できる。
更に又、上記開口部７は排水路４の底部から所定高さｈ以上の位置で排水路４と連通されているため、排水路４内における許容水深を上記所定高さｈ以下に設定することで、排水路４内の流水を排水路４に開口する開口部７の斜降側末端と接触させずに流下損失、抵抗が伴うことなく排出でき、排水路４内での排水性を損なうことなくスムーズな排水を可能になすとともに、排水路４内の流水が開口部７を逆流して上面３側に噴出することを防止できる。【００２４】  図４（イ）乃至（ニ）は本発明の側溝用ブロックの他実施の形態における施工状態を示し、本実施形態の側溝用ブロック１は、上記図１に示すものとその外郭形状等は略同様であって、切欠部６、開口部７の形状、構造が上記のものと異なるものであり、同様部分は上記の説明を援用し、異なる部分について説明する。
本実施形態の側溝用ブロック１では、図１に示すブロック本体２の上面３の低部側端部３ａとブロック本体２の側壁５との連設隅部に長手方向に沿って断続する切欠部６に、図４（イ）及び（ハ）に示すように該切欠部６の全体（長手方向の全体）に連続する孔状の開口部７が排水路４側に向けて斜降状をなし、図１（ニ）に示すと同様に開口部７が排水路４の底部から所定高さｈ以上の位置で排水路４と連通されている。【００２５】  本実施形態の側溝用ブロック１の施工については、図４（イ）乃至（ニ）に示すように、上記と同様に、歩道と車道の境界部にあって、ブロック本体２の傾斜面をなす上面３の高部側端部３ｂを車道側に、又、低部側端部３ａを歩道側で境界ブロック１０（縁石）の下端部に隣接して埋設し、側壁５上部と境界ブロック１０下端部間で、切欠部６の長手方向両側部にある隙間にモルタル等の目地材１１、切欠部６の下部にある隙間に同様の目地材１１′を充填して各隙間を閉塞することにより、切欠部６及び切欠部６の境界ブロック１０側の空隙１２を含んでこれを上面３に開口する孔状となす。尚、上記隙間の閉塞に際して、切欠部６内に目地材（特に目地材１１）が浸入しないように切欠部６の周辺部に障壁となる適宜の浸入防止材を設けておく。
その結果、上面３に開口する切欠部６が車道幅員方向の側帯最端部で境界ブロック１０のすぐ傍に位置される。
又、かかる側溝用ブロック１でも、上記と同様に、側帯における切欠部６の存在が目立たず、表面水が上面３の低部側端部３ａ側に速やかに集水されて切欠部６を介して排水路４内に排水され、開口部７は排水路４の底部から所定高さｈ以上の位置で排水路４と連通されているため、排水路４内での排水性を損なわず、又、上面３側への噴出を防止してスムーズに排水される。【００２６】  尚、本発明の側溝用ブロック１は上記実施形態のものに限定されることなく、本発明の意図する範囲内で種々の設計変更が可能である。
即ち、ブロック本体２は上記形状のものに限定されず、排水路４を内在する横長の筒状体等、適宜形状で適宜長さを有し、少なくともその上面３が長手方向と直交する幅方向に向けた傾斜面に形成されていればよく、その傾斜面も上記以外に幅方向の一端から他端近傍（切欠部６の上面３に開口した開口端部）までが一様な傾斜面となされてもよい。
上記ブロック本体２の内部の排水路４の断面形状も、上記実施形態の如き円形状に限定されず、方形状、卵形状、縦長だ円形状、縦長円形状の他、欠円形状、多角形状等、適宜形状となされてもよい。【００２７】  又、切欠部６は、ブロック本体２の上面３の低部側端部３ａと側壁５との連設隅部に長手方向に沿って設けられ、側壁５に開口されるとともに上面３側に細長く開口されるのが好ましいが、側壁５が下方拡開状で上面３の低部側端部３ａより外側に突出される等その形状によっては側壁５にのみ開口されてもよく、とくにその形状を限定するものではない。又、切欠部６はブロック本体２の長手方向に沿って断続（個数は適宜数でよい）して設けられるのが強度面で好ましいが、長手方向の略全長に連続的に設けられてもよい。
又、切欠部６は開放状態のままでもよいし、前記した図１（ホ）や、図６（イ）乃至（ニ）に示す如く側壁５に添着された板状体８によってその側壁５側が閉塞されたり、或いは図５（イ）乃至（ハ）に示すように、側壁５及び上面３に添着された略逆Ｌ状でその上片に集水孔１９ａ，１９ｂ，１９ｃを設けた曲折板体９によって閉塞されていてもよく、この場合には切欠部６を保護して施工に際して目地材やゴミ等の切欠部６内への侵入を防止して施工が容易となる利点がある。【００２８】  尚、図５（イ）乃至（ハ）の場合は、排水性向上の面から切欠部６の上面３側の開口幅を上記実施形態のものに比し大きくしているが、その開口幅はこれに限定されない。
又、上記曲折板体９の集水孔は、図５（イ）では３種類例示され、中央部の曲折板体９では幅方向中央部に横長円状の大きな集水孔１９ａとして長手方向に列設されるべくなされ、左側の曲折板体９では上記より小形の横長の長方形状の集水孔１９ｂとして２列状に長手方向に列設され、右側の曲折板体９では上記より更に小形の縦長の長方形状の集水孔１９ｃとして１列状に長手方向に列設されているが、かかる集水孔の形状、個数、配列も上記のものに限定されず、円形、だ円形、多角形等適宜形状で適宜数のものが配列されればよい。
又、図５（イ）及び（ロ）は後述する流入孔１３を有する場合で、図５（ハ）は図５（イ）及び（ロ）において流入孔１３が設けられない場合であるが、いずれの場合にも切欠部６が上記曲折板体９によって閉塞されてもよい。
尚又、上記板状体８を有する図６（イ）乃至（ニ）の場合、図６（イ）左半部、（ニ）における外郭の二重線は縁部の面取り２０を表わすもので（図２（イ）の外郭二重線も同様）、図６（イ）右半部の縁部には面取りが施されていない場合を例示する。【００２９】  一方、開口部７は、切欠部６の長手方向の全体又は一部に連続されればよく、排水路４側に向けて、その傾斜角度を限定することなく斜め真直ぐに斜降状をなして設けられる他、適宜湾曲や屈曲状等に斜降状をなして設けられてもよい。
又、開口部７は、排水路４の底部から少なくとも所定高さｈ以上の位置で排水路４と連通されるのが好ましく、排水路４内が所定の水深（所定高さｈ以下）まで確保可能でその排水性を損なわなければよいとともに、上記所定高さｈも排水路４の大きさや必要な排水量等によって適宜決められればよい。【００３０】  更に、図４（ホ）、図５（イ）及び（ロ）、図６（イ）乃至（ハ）に示すように、上記切欠部６及び開口部７に加え、ブロック本体２の上面３に切欠部６と略並列状に長手方向に沿う細長状の流入孔１３が１個又は複数個設けられ、該流入孔１３が略垂直状をなして開口部７に連通されてもよく、この場合には流入孔１３によって排水効率を更に向上させる利点がある。特に、切欠部６の上面３における開口幅が小さい場合に有効である。
尚、図４（ホ）は、図４（イ）及び（ハ）に示すものに上記のように流入孔１３が設けられたものである。
上記流入孔１３の形態は、ブロック本体２の長手方向に沿う適宜長さの細長状であればよく、例えば図６（イ）左半部に示す如く切欠部６の長手方向長さと略同長となされたり、図５（イ）に示す如く開口部７の長手方向長さより短い長さとなされたり、図６（イ）右半部に示す如く切欠部６の長手方向長さより短い２種類の長さとなされる等適宜長さであればよい。又、図５（イ）及び図６（イ）左半部に示す如く切欠部６と略並列状に１個設けられたり、図６（イ）右半部に示す如く２個設けられる等、適宜数設けられればよいし、略垂直状或いは傾斜状をなし、排水路４側に向けて斜降状をなす開口部７に連通されればよい。【００３１】  又、側溝用ブロック１の施工方法についても、側溝用ブロック１の側壁５上部と境界ブロック１０下端部間で適宜手段によって、その隙間を少なくとも切欠部６を除いて目地材によって閉塞することで、切欠部６又は切欠部６の境界ブロック１０側の空隙１２を含む切欠部６をブロック本体２の上面３に開口する孔状とすればよい。
【図面の簡単な説明】
【００３２】
【図１】  本発明の側溝用ブロックの一実施の形態を示し、（イ）は平面図、（ロ）は背面図、（ハ）は左側面図、（ニ）は（ロ）のＡ−Ａ拡大断面図、（ホ）は切欠部を板状体で閉塞した場合の要部断面図。
【図２】  （イ）は図１の側溝用ブロックの一部拡大平面図、（ロ）は（イ）のＢ−Ｂ一部断面図、（ハ）は（イ）のＣ−Ｃ断面図、（ニ）は（イ）のＤ−Ｄ断面図。
【図３】  図１の側溝用ブロックの施工例を示す一部断面図。
【図４】  本発明の側溝用ブロックの他実施の形態を示し、（イ）は施工状態における一部平面図、（ロ）は（イ）のＪ部拡大図、（ハ）は（イ）のＥ−Ｅ一部断面図、（ニ）は（イ）のＦ−Ｆ一部断面図、（ホ）は他の例を示す一部断面図。
【図５】  本発明の側溝用ブロックの他実施の形態を示し、（イ）は一部平面図、（ロ）は（イ）のＧ−Ｇ一部断面図、（ハ）は他の例を示す一部断面図。
【図６】  本発明の側溝用ブロックの他実施の形態を示し、（イ）は一部平面図、（ロ）は（イ）のＨ−Ｈ断面図、（ハ）は（イ）のＩ−Ｉ断面図、（ニ）は（イ）のＫ部拡大図。
【符号の説明】
【００３３】  １  側溝用ブロック
２  ブロック本体
３  上面
３ａ  低部側端部
３ｂ  高部側端部
４  排水路
５  側壁
６  切欠部
６ａ  傾斜面
７  開口部
８  板状体
９  曲折板体
１０  境界ブロック
１１，１１′  目地材
１２  空隙
１３  流入孔
１９ａ，１９ｂ，１９ｃ  集水孔
ｈ  所定高さ
【図１】
2007092503.tif 000003
【図２】
2007092503.tif 000004
【図３】
2007092503.tif 000005
【図４】
2007092503.tif 000006
【図５】
2007092503.tif 000007
【図６】
2007092503.tif 000008